(57)【要約】  デバイスにおけるオーディオ／ビデオ接続を制御するための装置および方法を説明する。その方法は、ユーザ入力に応答して第１の状態に入るステップ（５２５）であって、第１の状態は、回路のうちの一部に電力供給する、ステップと、信号の存在を検出するステップ（５３０）であって、信号は、デバイスから、ディスプレイデバイス上での表示のために出力されるべき信号である、ステップと、信号の存在が検出された場合、受信された信号を出力する回路に電力供給する第２の状態に入るステップ（５４５）と、を含む。その装置は、その装置を第１の状態に置くユーザ入力を受信する、スタンバイ処理回路（３２０）と、第１の状態において信号の存在を検出し、信号が検出された場合、その装置（３００）を第２の状態に置く信号を提供する、受信回路（３６２）と、第２の状態で動作できる処理回路（３６０）であって、第２の状態においてディスプレイデバイス上での表示のために信号を出力する、処理回路（３６０）と、を含む。
2017515334.tif 000002
【特許請求の範囲】
【請求項１】
方法（５００）であって、
ユーザ入力に応答して、デバイスにおける第１の動作状態に入るステップ（５２５）であって、前記第１の動作状態は、前記デバイス内の回路のうちの一部に電力供給する、前記ステップと、
前記デバイスへの入力部で受信された信号の存在を検出するステップ（５３０）であって、前記受信された信号は、前記デバイスから、ディスプレイデバイス上での表示のために出力される、前記ステップと、
前記信号の存在が検出された場合、前記デバイスにおける第２の動作状態に入るステップ（５４５）であって、前記第２の動作状態は、前記受信された信号を出力する回路に電力供給する、前記ステップと、
を含む、前記方法（５００）。
【請求項２】
前記デバイスが前記第２の動作状態にあるとき、前記デバイスへの前記入力部で受信された前記信号の存在を決定するステップ（５５０）と、
前記信号が前記デバイスへの前記入力部にもはや存在しないと決定された場合、前記第１の動作状態へ戻るステップ（５２５）と、
を更に含む、請求項２に記載の方法（５５０）。
【請求項３】
前記第１の動作状態はアクティブスタンバイであり、前記第２の動作状態は信号パススルーである、請求項１に記載の方法（５００）。
【請求項４】
ある時間期間中に前記デバイスへの前記入力部で前記信号の存在を検出しなかった後に、前記第１の動作状態から第３の動作状態に入るステップ（５４０）であって、前記第３の動作状態は、前記デバイスへのユーザ入力に必要とされる回路のみに電力供給する、前記ステップを更に含む、請求項１に記載の方法（５００）。
【請求項５】
前記第３の動作状態はディープスタンバイである、請求項４に記載の方法（５００）。
【請求項６】
前記信号は、高精細度マルチメディアインターフェース（ＨＤＭＩ）信号である、請求項１に記載の方法（５００）。
【請求項７】
前記ＨＤＭＩ信号は、前記デバイスへのＨＤＭＩインターフェースを介して接続されたコンテンツソースデバイスから受信される、請求項６に記載の方法（５００）。
【請求項８】
前記検出するステップは、前記ＨＤＭＩ信号における家電通信（ＣＥＣ）インターフェース信号およびプラス５ボルト電力信号のうちの少なくとも一方の存在を検出するステップを含む、請求項６に記載の方法（５００）。
【請求項９】
前記ＣＥＣインターフェース信号は、前記第２の動作状態においてＨＤＭＩ信号処理回路をパワーオンするために使用される、請求項８に記載の方法（５００）。
【請求項１０】
前記第１の動作状態における前記回路のうちの前記一部は、ユーザ入力回路および信号受信器回路である、請求項１に記載の方法（５００）。
【請求項１１】
前記受信された信号を前記デバイスから出力する前記回路は信号処理回路である、請求項１に記載の方法（５００）。
【請求項１２】
ユーザ入力に応答して、第４の動作状態に入るステップ（５２０）であって、前記第４の動作状態は、前記第１の動作状態、前記第２の動作、および前記第３の動作状態のうちの１つから入り、前記第４の動作状態は、前記デバイス内のすべての回路に電力供給する、前記ステップを更に含む、請求項１に記載の方法（５００）。
【請求項１３】
前記デバイスは、前記第４の動作状態において、ネットワークから信号を受信し、前記信号をディスプレイデバイス上での表示のために提供することができるが、前記第１の動作状態、前記第２の動作状態、および前記第３の動作状態のいずれの１つにおいても前記ネットワークから信号を受信することができない、請求項１２に記載の方法（５００）。
【請求項１４】
前記第４の動作状態はパワーオンである、請求項１３に記載の方法（５００）。
【請求項１５】
装置（３００）であって、
スタンバイ処理回路（３２０）であって、ユーザから入力を受信し、前記入力は、前記装置を第１の動作状態に置く、前記スタンバイ処理回路（３２０）と、
前記スタンバイ処理回路（３２０）に結合された信号受信回路（３６２）であって、前記第１の動作状態において、前記信号受信回路（３６２）で受信された信号の存在を検出し、前記信号の存在が検出された場合、前記装置（３００）を第２の動作状態に置く信号を提供する、前記信号受信回路（３６２）と、
前記信号受信回路（３６２）およびスタンバイ処理回路（３２０）に結合された信号処理回路（３６０）であって、前記第２の動作状態で動作できるが、前記第１の動作状態で動作できず、前記第２の動作状態において、ディスプレイデバイス上での表示のために前記信号受信回路（３６２）で受信された前記信号を出力する、前記信号処理回路（３６０）と、
を備える、前記装置（３００）。
【請求項１６】
前記信号受信回路（３６２）は更に、前記第２の動作状態にあるとき、前記入力部で受信された前記信号の存在を決定し、前記スタンバイ処理回路（３２０）は、前記信号が前記入力にもはや存在しないと信号受信回路（３６２）が決定した場合、前記装置（３００）を前記第１の動作状態に置く、請求項１５に記載の装置（３００）。
【請求項１７】
前記第１の動作状態はアクティブスタンバイであり、前記第２の動作状態は信号パススルーである、請求項１５に記載の装置（３００）。
【請求項１８】
前記スタンバイ処理回路（３２０）は更に、前記信号受信回路（３６２）がある時間期間中に前記入力部で前記信号の存在を検出しない場合、前記装置（３００）を前記第１の動作状態から第３の動作状態に置き、前記第３の動作状態は、前記信号受信回路（３６２）をパワーオフする、請求項１５に記載の装置（３００）。
【請求項１９】
前記第３の動作状態はディープスタンバイである、請求項１８に記載の装置（３００）。
【請求項２０】
前記信号は、高精細度マルチメディアインターフェース（ＨＤＭＩ）信号である、請求項１５に記載の装置（３００）。
【請求項２１】
前記ＨＤＭＩ信号は、前記デバイスへのＨＤＭＩインターフェースを介して接続されたコンテンツソースデバイスから受信される、請求項２０に記載の装置（３００）。
【請求項２２】
前記信号受信回路（３６２）は、前記ＨＤＭＩ信号における家電通信（ＣＥＣ）インターフェース信号およびプラス５ボルト供給信号のうちの少なくとも一方の存在を検出する、請求項２０に記載の装置（３００）。
【請求項２３】
前記ＣＥＣインターフェース信号は、前記第２の動作状態においてＨＤＭＩ信号処理回路（３６０）をパワーオンするために使用される、請求項２２に記載の装置（３００）。
【請求項２４】
ユーザ入力回路を更に備え、前記ユーザ入力回路は、ユーザから入力を受信し、前記ユーザ入力回路はまた、前記第１の動作状態で動作できる、請求項１５に記載の装置（３００）。
【請求項２５】
前記スタンバイプロセッサー（３２０）は、ユーザ入力に応答して前記装置を第４の動作状態に置き、前記第４の動作状態は、前記第１の動作状態、前記第２の動作、および前記第３の動作状態のうちの１つから入り、前記第４の動作状態は、前記装置（３００）内のすべての回路に電力供給する、請求項１５に記載の装置（３００）。
【請求項２６】
前記装置（３００）は、前記第４の動作状態において、ネットワークから信号を第２の信号受信回路において受信し、前記信号をディスプレイデバイス上での表示のために提供するが、前記第１の動作状態、前記第２の動作状態、および前記第３の動作状態のいずれの１つにおいても前記ネットワークから信号を受信することができない、請求項２５に記載の装置（３００）。
【請求項２７】
前記第４の動作状態はパワーオンである、請求項２５に記載の装置（３００）。
【請求項２８】
装置（３００）であって、
ユーザ入力に応答して、第１のスタンバイモードで動作する手段（３２０）であって、前記第１の動作状態は、前記装置（３００）内の回路のうちの一部に電力供給する、前記手段と、
前記装置（３００）への入力部で受信された信号の存在を検出する手段（３６２）であって、前記受信された信号は、ディスプレイデバイス上での表示のために提供される、前記手段と、
前記信号の存在に応答して、信号パススルーモードで動作する手段（３６０）であって、前記信号パススルーモードは、前記受信された信号を出力する回路に電力供給する、前記手段と、
を備える、前記装置（３００）。
【請求項２９】
前記デバイスが前記第２の動作状態にあるとき、前記デバイスへの前記入力部で受信された前記信号の存在を決定する手段と、
前記信号が前記デバイスへの前記入力部にもはや存在しないと決定された場合、前記第１の動作状態へ戻る手段と、
を更に備える、請求項２８に記載の装置（３００）。
【請求項３０】
前記第１の動作状態はアクティブスタンバイであり、前記第２の動作状態は信号パススルーである、請求項２８に記載の装置（３００）。
【請求項３１】
ある時間期間中に前記デバイスへの前記入力部で前記信号の存在を検出しなかった後に、前記第１の動作状態から第３の動作状態に入る手段であって、前記第３の動作状態は、前記デバイスへのユーザ入力に必要とされる前記回路のみに電力供給する、前記手段を更に備える、請求項２８に記載の装置（３００）。
【請求項３２】
前記第３の動作状態はディープスタンバイである、請求項３１に記載の装置（３００）。
【請求項３３】
前記信号は、高精細度マルチメディアインターフェース（ＨＤＭＩ）信号である、請求項１に記載の装置（３００）。
【請求項３４】
前記ＨＤＭＩ信号は、前記デバイスへのＨＤＭＩインターフェースを介して接続されたコンテンツソースデバイスから受信される、請求項３３に記載の装置（３００）。
【請求項３５】
前記検出する手段は、前記ＨＤＭＩ信号における家電通信（ＣＥＣ）インターフェース信号およびプラス５ボルト電力信号のうちの少なくとも一方の存在を検出することを含む、請求項３３に記載の装置（３００）。
【請求項３６】
前記ＣＥＣインターフェース信号は、前記第２の動作状態においてＨＤＭＩ信号処理回路をパワーオンするために使用される、請求項３５に記載の装置（３００）。
【請求項３７】
前記第１の動作状態における前記回路のうちの前記一部は、ユーザ入力回路および信号受信器回路である、請求項２８に記載の装置（３００）。
【請求項３８】
前記受信された信号を前記デバイスから出力する前記回路は、信号処理回路である、請求項２８に記載の装置（３００）。
【請求項３９】
ユーザ入力に応答して、第４の動作状態に入る手段であって、前記第４の動作状態は、前記第１の動作状態、前記第２の動作、および前記第３の動作状態のうちの１つから入り、前記第４の動作状態は、前記デバイス内のすべての回路に電力供給する、前記手段を更に備える、請求項２８に記載の装置（３００）。
【請求項４０】
前記デバイスは、前記第４の動作状態において、ネットワークから信号を受信し、前記信号をディスプレイデバイス上での表示のために提供することができるが、前記第１の動作状態、前記第２の動作状態、および前記第３の動作状態のいずれの１つにおいても前記ネットワークから信号を受信することができない、請求項３９に記載の装置（３００）。
【請求項４１】
前記第４の動作状態はパワーオンである、請求項４０に記載の装置（３００）。
【発明の詳細な説明】
【技術分野】
【０００１】
関連出願の相互参照
本出願は、参照により本明細書にその全体が組み込まれている、２０１４年３月１０日に出願された米国特許仮出願第６１／９５０，４５５号明細書の利益を主張するものである。
【０００２】
本開示は、一般に、オーディオ／ビデオ接続および信号処理を含むデバイスに関する。より具体的には、本開示は、特にデバイスが低電力モードで動作しているときに、デバイス間のオーディオ／ビデオ信号の接続を制御するための装置および方法に関する。
【背景技術】
【０００３】
この項は、以下に説明される本実施形態に関係し得る技術の種々の特徴を読者に紹介することを意図している。この説明は、背景情報を読者に提供して、本開示の種々の特徴のより良い理解を促進するために役立つと考えられる。したがって、この観点からこれらの記述が読まれるべきであることを理解されたい。
【０００４】
多くのホームエンターテイメントデバイスは、利用可能なメディアコンテンツを受信および／または処理する能力を有するだけでなく、ホームネットワーク内の他のデバイスと通信する機能を有する。これらのデバイスは、しばしば、セットトップボックス、ゲートウェイ、テレビ、ホームコンピュータ、メディアコンテンツプレーヤなどを含むがこれらに限定されない。更に、これらのデバイスの多くは、異なるタイプのホームネットワークならびにデバイス間通信およびシグナリングのための複数のインターフェースを含むことができる。また、これらのデバイスは、記憶素子、ハードドライブ、コンパクトディスク（ＣＤ）、ディジタル多用途ディスク（ＤＶＤ）ドライブなどのような、デバイス内部の追加的機構を含むことができる。
【０００５】
ホームメディア配信ネットワークを構成する１つの方法は、住宅または住居全体にわたって配置されたシンクライアントセットトップボックス（thin client set top boxes）に接続された中央ゲートウェイデバイスを使用することを伴う。シンクライアントセットトップボックスは、典型的には、ケーブルマルチメディア協会（Multimedia over Cable Alliance：ＭｏＣＡ）規格などの有線または無線インターフェースを使用して、中央ゲートウェイに接続する。シンクライアントセットトップボックスは、高精細度マルチメディアインターフェース（ＨＤＭＩ）や同様のアナログまたはディジタル信号インターフェースなどのオーディオ／ビデオインターフェースを介して、テレビまたはモニターなどのホームディスプレイデバイスにインターフェースする。シンクライアントセットトップボックスはまた、ホームメディアコンテンツプレーヤ（たとえば、ハードドライブデバイス、ＣＤプレーヤ、ビデオカセットレコーダ（ＶＣＲ）、またはＤＶＤプレーヤ）に接続するためのオーディオ／ビデオ入力インターフェース（たとえばＨＤＭＩ）を含むことができる。シンクライアントデバイスは、ディスプレイデバイス上での表示のために、中央ゲートウェイデバイスまたはホームメディアコンテンツプレーヤのいずれかから受信された信号を提供することができる。
【０００６】
電力消費管理は、ホームエンターテイメントデバイスに関して、特により多くのデバイスが住宅で使用され利用可能であるので、重要な問題であり続けている。多くのホームエンターテイメントデバイスは、電力に接続されているとき、全機能動作モードおよびスタンバイモードを有する。多くの場合、スタンバイモードは、デバイスがいくつかの機能的能力を有し続けることができるように、デバイスを完全にはパワーダウンしない。しかしながら、場合によっては、スタンバイ動作モードは、必要条件、またはエネルギースター（Energy Star）のようなエネルギー規格を満たすために十分に低い電力消費では動作しないことがある。更に、スタンバイ動作モードは、ホームエンターテイメントデバイスに接続された他の外部デバイスに関わる動作など特定の固有の機能的動作を維持するために、デバイス内の適切な要素をパワーオンしないかまたはパワーオフしないことがある。
【０００７】
具体的には、シンクライアントセットトップボックスは、電力がユーザ制御のみに適用される非常に低い電力消費レベルでのスタンバイモードを有することがある。しかしながら、シンクライアントセットトップボックスは、ホームメディアコンテンツプレーヤとディスプレイデバイスとの間のインターフェースの役割をすることもある。シンクライアントセットトップボックスは、常に、スタンバイモードの一部としてオーディオ／ビデオインターフェース回路に電力供給することを含み得るが、これは、特にインターフェースが使用中でないとき、電力消費レベルを上げることになる。更に、シンクライアントセットトップボックスを完全な動作のためにオンにすることは、いっそう高い電力消費を伴い、ユーザに更に不都合になり得る。したがって、シンクライアントセットトップボックスなどのデバイスにおいて、デバイスを完全にパワーオンすることなく、デバイスを通してコンテンツソースからディスプレイデバイスへオーディオ／ビデオ信号を接続する、または通過させるために、追加の動作制御モードを組み込む必要がある。
【発明の概要】
【０００８】
本開示の一態様によると、デバイスにおけるオーディオ／ビデオ接続を制御するための方法が説明される。上記方法は、ユーザ入力に応答して、デバイスにおける第１の動作状態に入るステップであって、上記第１の動作状態は、上記デバイス内の回路のうちの一部に電力供給する、上記ステップと、上記デバイスへの入力部で受信された信号の存在を検出するステップであって、上記受信された信号は、上記デバイスから、ディスプレイデバイス上での表示のために出力されるべき信号である、上記ステップと、上記信号の存在が検出された場合、上記デバイスにおける第２の動作状態に入るステップであって、上記第２の動作状態は、上記受信された信号を出力するための回路に電力供給する、上記ステップと、を含む。
【０００９】
本開示の別の態様によると、オーディオ／ビデオ接続を制御するための装置が説明される。上記装置は、スタンバイ処理回路であって、上記スタンバイ処理回路は、ユーザから入力を受信し、上記入力は、上記装置を第１の動作状態に置くための入力である、上記スタンバイ処理回路と、上記スタンバイ処理回路に結合された信号受信回路であって、上記第１の動作状態において、上記信号受信回路で受信された信号の存在を検出し、上記信号の存在が検出された場合、上記装置を第２の動作状態に置くための信号を提供する、上記信号受信回路と、上記信号受信回路およびスタンバイ処理回路に結合された信号処理回路であって、上記第２の動作状態で動作できるが、上記第１の動作状態で動作できず、上記第２の動作状態において、ディスプレイデバイス上での表示のために上記信号受信回路で受信された上記信号を出力する、上記信号処理回路と、を備える。
【図面の簡単な説明】
【００１０】
本開示の上記ならびに他の態様、機能、および利点は、添付の図面と併せて読まれるべき好ましい実施形態の以下の詳細な説明により説明されまたは明らかとなる。
【図１】本開示による住宅または住居における例示的な信号受信システムのブロック図である。
【図２】本開示による例示的な信号受信デバイスのブロック図である。
【図３】本開示による例示的なネットワークデバイスのブロック図である。
【図４Ａ】本開示によるデバイス内で使用される例示的なオーディオ／ビデオ接続回路の回路図である。
【図４Ｂ】本開示によるデバイス内で使用される例示的なオーディオ／ビデオ接続回路の回路図である。
【図５】本開示による信号受信デバイスにおけるオーディオ／ビデオ接続を制御するための例示的なプロセスのフローチャートである。
【図６】本開示による信号受信デバイスにおける例示的な動作状態を示す状態図である。
【発明を実施するための形態】
【００１１】
図面は、本開示の概念を例示することを目的としており、本開示を例示するための唯一の可能な構成では必ずしもないことを理解されたい。
【００１２】
図面に示される要素は、ハードウェア、ソフトウェア、またはこれらの組み合わせの種々の形態で実装され得ることを理解されたい。好ましくは、これらの要素は、プロセッサー、メモリ、および入力／出力インターフェースを含み得る１つまたは複数の適切にプログラムされた汎用デバイス上でハードウェアとソフトウェアの組み合わせとして実装される。本明細書では、「結合される」という表現は、直接的に接続される、または１つまたは複数の中間コンポーネントを介して間接的に接続されることを意味するように定義される。そのような中間コンポーネントは、ハードウェアベースとソフトウェアベースの両方のコンポーネントを含み得る。
【００１３】
本明細書は、本開示の原理を示す。したがって、当業者であれば、本明細書に明示的に説明または図示されなくても、本開示の原理を具現しその範囲内に含まれる種々の構成を考え出すことが可能であることは認識されよう。
【００１４】
本明細書に挙げられたすべての例および条件付きの言葉は、本開示の原理および当技術の促進に対して本発明者によって寄与される概念を読者が理解するのを支援する教育目的が意図され、また、そのような具体的に挙げられた例および条件に限定されないと解釈されるべきである。
【００１５】
更に、本開示の原理、特徴、および実施形態ならびにそれらの具体例を挙げる本明細書のすべての記述は、それらの構造的および機能的な等価形態を包含するように意図されている。加えて、そのような等価形態は、現在知られている等価形態、および将来開発される等価形態、すなわち、構造に関わらず同じ機能を実行する任意の開発される要素を含むことが意図されている。
【００１６】
したがって、たとえば、本明細書で提示されるブロック図が、本開示の原理を具現する説明に役立つ回路構成の概念図を表すことは、当業者には認識されよう。同様に、任意のフローチャート、フロー図、状態遷移図、擬似コードなどが、コンピュータ可読媒体において実質的に表され、よって、コンピュータまたはプロセッサーが明示的に示されているかどうかを問わず、そのようなコンピュータまたはプロセッサーによって実行される種々の処理を表していることは認識されよう。
【００１７】
図に示される種々の要素の機能は、専用ハードウェアならびに適切なソフトウェアと関連してソフトウェアを実行可能なハードウェアの使用によって提供され得る。プロセッサーによって提供される場合、機能は、単一の専用プロセッサーによって、単一の共有プロセッサーによって、または複数の個別プロセッサーによって提供されてよく、複数の個別プロセッサーの一部は共有されてよい。更に、用語「プロセッサー」または「コントローラ」の明示的な使用は、もっぱらソフトウェアを実行可能なハードウェアを指していると解釈されるべきではなく、黙示的に、限定せずに、ディジタル信号プロセッサー（ＤＳＰ）ハードウェア、ソフトウェアを記憶する読出し専用メモリ（ＲＯＭ）、ランダムアクセスメモリ（ＲＡＭ）、および不揮発性ストレージを含み得る。
【００１８】
従来および／または特注の他のハードウェアが含まれてもよい。同様に、図に示されているいずれのスイッチも単に概念的である。それらの機能は、プログラムロジックの動作により、専用ロジックにより、プログラム制御と専用ロジックの相互作用により、または手動により実行されてよく、文脈からより具体的に理解されるように、特定の技法が実施者によって選択可能である。
【００１９】
特許請求の範囲において、指定された機能を実施するための手段として表される任意の要素は、たとえば、ａ）その機能を実施する回路素子の組み合わせ、またはｂ）その機能を実施するようにソフトウェアを実行するための適切な回路構成と組み合わされた任意の形態の、したがってファームウェアもしくはマイクロコードなどを含むソフトウェアを含む、機能を実施する任意の方法を包含するように意図される。特許請求の範囲によって定義される開示は、種々の記載された手段によって提供される機能が、特許請求の範囲が求める様式で組み合わされてまとめられるという事実に属する。したがって、それらの機能を提供できる任意の手段が本明細書で示されるものと等価であるとみなされる。
【００２０】
本開示は、デバイスを通るオーディオおよび／またはビデオ信号の存在を決定し通過させる能力を含みながらも、低電力消費条件でホームエンターテイメントデバイスの動作を制御することに関係した問題を対象とする。ネットワーク接続されたクライアントデバイスのような、ある種のホームエンターテイメントデバイスは、しばしば、主デバイス（たとえば、セットトップボックスまたはゲートウェイ）とホームネットワーク内の他のデバイスとの間の１つまたは複数の通信インターフェースを提供する。サービスプロバイダは、このアーキテクチャを使用して、共通の単一インターフェースをプロバイダネットワークに提供し、また、共通のコンテンツストレージおよび配信ポイントをホームネットワーク内の他のポイントに提供する。これらのデバイスは、クライアントデバイスがコンテンツソースデバイス（たとえば、ＤＶＤプレーヤおよびＶＣＲなど）とディスプレイデバイスとの間のインターフェースとして使用されるとき、接続インターフェースおよび制御機構を更に提供することができる。本実施形態は、低電力消費必要条件も満たすこれらのインターフェースを動作させるための機構を対象とする。
【００２１】
本開示の実施形態は、デバイスにおけるオーディオ／ビデオ接続を制御することに関係する。実施形態は、フルパワーモード、および複数の代替のスタンバイモードを利用するデバイスおよびプロセスを明らかにする。しばしばスタンバイモードまたはアクティブスタンバイモードと呼ばれる、第１のスタンバイモードは、オーディオ／ビデオ入力回路（たとえばＨＤＭＩ入力部）に電力供給すること、および信号アクティビティについて入力をモニターすることを含む。オーディオ／ビデオ入力回路においてアクティビティが検出された場合、（オーディオおよび／またはビデオ信号を、ディスプレイデバイスに接続されたオーディオ／ビデオ出力回路に通してルーティングするために必要な機能。結果として、パススルーモード（pass through mode）またはＨＤＭＩパススルーモードと呼ばれる追加のスタンバイモードが形成され、このモードは、デバイスに対する完全な動作を伴わない（たとえば、デバイス全体をパワーオンしない）。
【００２２】
実施形態は、更なるスタンバイモードも含むことができる。この更なるスタンバイモードは、オフモード（off mode）、ディープスタンバイモード（deep standby mode）、またはディープオフモード（deep off mode）と呼ばれ、クライアントボックスの始動の速度を上げることが可能なマイクロプロセッサー内の特定の機能のような特定の機能セットの動作を維持することができる。この更なるスタンバイモードは、より低い電力（たとえば、デバイス上のより低いクロックレート）で動作する特定の機能を含むこともできる。この更なるスタンバイモードは、一定の時間期間（たとえば３時間）アクティビティが無かった後に開始され得る。また、第２のスタンバイモードは、デバイスが最初にオフにされた場合に開始され、他のスタンバイモードのいずれかに移る前の時間期間にわたってこのモードに維持されてもよい。
【００２３】
ホームケーブル信号配信システム内で動作するクライアントまたはネットワークデバイスにおいて低電力スタンバイ動作を維持する一方、ＨＤＭＩ信号の信号パススルーモードを実装するための機構が本明細書で説明される。これらの機構は、低電力スタンバイ動作を維持する一方、信号パススルーモードを必要とする他のシステムで使用するために適合され得ることに留意することが重要である。たとえば、以下に説明される実施形態は、ごくわずかの修正で、ホーム衛星信号またはホーム地上波信号配信システム内のネットワーク接続されたデバイスにおいて稼動するように当業者によって修正され得る。更に、これらの機構は、ディジタルビデオインターフェース（ＤＶＩ）、ディジタルフラットパネル（ＤＦＰ）、およびプラグアンドディスプレイ（Ｐ＆Ｄ）を含むがこれらに限定されないＨＤＭＩ以外の他のデバイス間メディア通信および接続プロトコルと共に動作するように適合されてもよい。
【００２４】
次に図１を参照すると、ホームまたはエンドユーザ、ネットワークにおいてホームエンターテイメントメディアコンテンツを提供するためのシステム１００の実施形態のブロック図が示されている。コンテンツプロバイダから発信されるメディアコンテンツは、外部ネットワークを介してケーブルマルチメディア協会（Multimedia over Cable Alliance：ＭｏＣＡ）インターフェース１１０に提供される。メディアコンテンツは、標準送信プロトコルおよびコンテンツ配信のための規格（たとえば、高度テレビジョンシステムズ委員会（Advanced Television Systems Committee：ＡＴＳＣ）Ａ／５３、ディジタルビデオ放送（digital video broadcast：ＤＶＢ）ケーブル（ＤＶＢ−Ｃ）、ＤＶＢ衛星（DVB-Satellite：ＤＶＢ−Ｓ）またはＤＢＶ地上波（DVB-Terrestrial：ＤＶＢ−Ｔ））のいずれか１つを使用して提供され得る。ＭｏＣＡインターフェース１１０は、外部ネットワーク受信デバイス１２０、外部ネットワーク受信デバイス１３０、およびＭｏＣＡネットワークデバイス１４０に接続される。外部ネットワーク受信デバイス１２０および外部ネットワーク受信デバイス１３０は両方とも、ローカルネットワークインターフェース１５０に接続する。ローカルネットワークインターフェース１５０は、ローカルネットワークデバイス１６０に接続する。メディアコンテンツ再生デバイス１７０は、ＭｏＣＡネットワークデバイス１４０に接続する。ＭｏＣＡネットワークデバイス１４０は、ディスプレイデバイス１８０に接続する。システム１００において示されるコンポーネントは、１つまたは複数のホーム通信ネットワークを使用して住宅内の複数の場所にメディアコンテンツを供給するよう構成されたホームネットワークを備える。
【００２５】
外部ネットワークからのメディアコンテンツ（たとえば、オーディオ、ビデオ、および／またはデータ）を含む信号は、同軸ケーブルなどの物理媒体を介して提供される。外部ネットワークは、ＭｏＣＡインターフェース１１０とインターフェースする。ＭｏＣＡインターフェース１１０は、ホームまたはユーザネットワークと共にＭｏＣＡネットワークにおいて動作する信号と関連して、外部ネットワークからホームまたはユーザネットワーク内のデバイス（たとえば、外部ネットワーク受信デバイス１２０および外部ネットワーク受信デバイス１３０）への信号のルーティング機構を提供する。ＭｏＣＡインターフェース１１０は、入力信号を異なるまたは同様の出力信号に分離または分割することができる能動または受動回路素子を含むことができる。ＭｏＣＡインターフェース１１０は、信号を分離または分割するために、増幅器、周波数フィルター、および電磁回路を使用してもよい、一実施形態では、外部ネットワークは、２０メガヘルツ（ＭＨｚ）から８００ＭＨｚの周波数範囲の間で同軸ケーブル上で信号を提供する。ＭｏＣＡネットワークは、９５０ＭＨｚから１２５０ＭＨｚの周波数範囲にある信号を使用して動作する。代替実施形態では、外部ネットワークが、４２５ＭＨｚから６２５ＭＨｚの周波数範囲で動作するＭｏＣＡネットワークと共に、９５０ＭＨｚから２１５０ＭＨｚの周波数範囲の間で信号を提供する。ＭｏＣＡインターフェース１１０は、ＭｏＣＡネットワークからの信号が外部ネットワークへ出力されるのを防止しながら、外部ネットワークからの信号のための信号分離、およびＭｏＣＡネットワーク上の信号のための別個の信号分離を提供する。
【００２６】
外部ネットワーク受信デバイス１２０および外部ネットワーク受信デバイス１３０は、同様の様式で各々が動作および機能することができる。外部ネットワーク受信デバイス１２０および外部ネットワーク受信デバイス１３０は、ＭｏＣＡインターフェース１１０を介して外部ネットワークから信号を受信する。外部ネットワーク受信デバイス１２０および外部ネットワーク受信デバイス１３０は、ＭｏＣＡインターフェース１１０またはローカルネットワークインターフェース１５０のいずれかを介して、外部ネットワークからまたはホームネットワーク内の他のデバイスから、異なるタイプのメディアコンテンツ（たとえば、異なるチャネル）を受信することができる。外部ネットワーク受信デバイス１２０および１３０は、受信されたコンテンツを同調、復調、復号、および処理し、ホーム内の表示およびユーザによる使用のためにコンテンツを提供する。外部ネットワーク受信デバイス１２０および１３０は、コンテンツと共にまたは外部ネットワークを介して提供される命令に基づいて、メディアコンテンツの分離を更に提供することができる。外部ネットワーク受信デバイス１２０および１３０は、ユーザコマンドを介して受信される命令に基づいて、メディアコンテンツを処理および分割してもよい。外部ネットワーク受信デバイス１２０および１３０はまた、メディアコンテンツを記録および／または記憶するために、ならびに、コンテンツを再生のためにホームネットワーク内の他のデバイス（たとえば、ＭｏＣＡネットワークデバイス１４０およびローカルネットワークデバイス１６０）に提供するために、ハードドライブまたは光ディスクドライブなどのストレージを提供してもよい。ここで論じられるような外部ネットワーク受信デバイスの動作および機能は、以下で更に詳細に説明される。外部ネットワーク受信デバイス１２０および１３０は、セットトップボックス、ホームメディアサーバー、コンピュータメディアステーション、ホームネットワークゲートウェイ、マルチメディアプレーヤ、モデム、ルータ、またはホームネットワーク機器などのうちの１つであり得る。
【００２７】
外部ネットワーク受信デバイス１２０および１３０は、他のＭｏＣＡネットワークデバイス（たとえば、外部ネットワーク受信デバイス１２０および１３０ならびにＭｏＣＡネットワークデバイス１４０）との間で、ＭｏＣＡインターフェース１１０を介してＭｏＣＡネットワーク上で信号を通信するためのインターフェースを提供する。外部ネットワーク受信デバイス１２０および１３０はまた、ローカルネットワークデバイス１６０へのローカルネットワークインターフェース１５０を介してローカルホームネットワークへのインターフェースを提供する。一実施形態では、ローカルネットワークはイーサネットネットワークである。また、ローカルネットワークは、ワイヤレスネットワークであってもよい。ワイヤレスネットワークを使用するワイヤレス通信は、Ｗｉ−Ｆｉ、電気電子技術者協会規格ＩＥＥＥ８０２．１１、または他の同様のワイヤレス通信プロトコルを含む、１つまたは複数のワイヤレスフォーマットに対応する物理インターフェースを含んでよい。
【００２８】
ＭｏＣＡインターフェース１１０は、外部ネットワーク受信デバイス１２０、外部ネットワーク受信デバイス１３０、およびＭｏＣＡネットワークデバイス１４０の間でＭｏＣＡネットワーク信号を提供する。ＭｏＣＡネットワークデバイス１４０は、表示およびユーザによる使用のために、ＭｏＣＡ信号を同調し、復調し、復号する。ＭｏＣＡネットワークデバイス１４０は、他のデバイス（たとえば、外部ネットワーク受信デバイス１２０または１３０）への配信のためにＭｏＣＡネットワーク上で信号を送信または通信することもできる。これらの信号は、ＭｏＣＡネットワークデバイス１４０に配信されるメディアコンテンツの制御または識別情報を提供することができる。ＭｏＣＡネットワークデバイス１４０は、しばしばシンクライアントＭｏＣＡデバイスと呼ばれ、以下に限定されないが、セットトップボックス、セットバックボックス、コンピュータデバイス、タブレット、ディスプレイデバイス、テレビ、ワイヤレス電話、携帯情報端末（ＰＤＡ）、ゲーミングプラットフォーム、リモートコントロール、マルチメディアプレーヤ、またはＭｏＣＡインターフェースを含むホームネットワーキング機器とすることができ、更に、ディジタルビデオ記録用の記憶媒体を含んでよい。ＭｏＣＡネットワークデバイス１４０はまた、オーディオおよびビデオコンテンツを記録および再生するためのハードドライブまた光ディスクドライブなどの記憶デバイスを含んでよい。
【００２９】
ローカルネットワークインターフェース１５０は、ローカルネットワークを介して通信するデバイスの間のルーティングならびに信号通信および管理機能を提供する。一実施形態では、ローカルネットワークインターフェース１５０は、イーサネットネットワークの一部としてインターネットプロトコルルーティングプロトコルを使用して通信する信号ルータとして動作する。
【００３０】
ローカルネットワークインターフェース１５０は、外部ネットワーク受信デバイス１２０、外部ネットワーク受信デバイス１３０、およびローカルネットワークデバイス１６０の間でローカルネットワーク信号を提供する。ローカルネットワークデバイス１６０はまた、使用される通信プロトコルに応じて、ユーザによる表示および使用のために、ローカルネットワーク信号を同調、復調、および／または復号することができる。ローカルネットワークデバイス１６０は、他のデバイス（たとえば、外部ネットワーク受信デバイス１２０または１３０）への配信のために、ローカルネットワーク上で信号を送信または通信することもできる。これらの信号は、ローカルネットワークデバイス１６０に配信されるメディアコンテンツの制御または識別情報を提供することができる。ローカルネットワークデバイス１６０は、しばしばシンクライアントデバイスと呼ばれ、以下に限定されないが、コンピュータデバイス、タブレット、ディスプレイデバイス、テレビ、ワイヤレス電話、携帯情報端末（ＰＤＡ）、ゲーミングプラットフォーム、リモートコントロール、マルチメディアプレーヤ、またはローカルネットワークインターフェースを含むホームネットワーキング機器とすることができる。ローカルネットワークデバイス１６０は、ディジタルメディア記録用の記憶媒体を更に含んでよい。
【００３１】
メディアコンテンツ再生デバイス１７０は、内部または別個のメディア要素からメディアコンテンツの１つまたは複数のフォーマットに関するローカルソース再生を提供する。メディアコンテンツ再生デバイス１７０は、コンパクトディスク（ＣＤ）ＤＶＤドライブ、ブルーレイドライブ、ハードディスクドライブ、電子メモリ、または他のストレージもしくはストレージアクセス要素を含み得る。メディアコンテンツ再生デバイス１７０は、メディア要素からメディアコンテンツを読み取り、１つまたは複数のオーディオ／ビデオ信号フォーマット（たとえばＨＤＭＩ）でメディアコンテンツを出力する。オーディオ／ビデオ信号は、ＭｏＣＡネットワークデバイス１４０に提供される。
【００３２】
ディスプレイデバイス１８０は、ＭｏＣＡネットワークデバイス１４０からオーディオ／ビデオ信号を受信し、それらを表示する。オーディオ／ビデオ信号は、メディアコンテンツ再生デバイス１７０からの場合、またはＭｏＣＡインターフェース１１０を介して外部ネットワーク受信デバイス１２０および１３０からの場合がある。ディスプレイデバイス１８０は、従来の２次元（２Ｄ）タイプディスプレイであってよく、あるいは高度な３次元（３Ｄ）タイプディスプレイであってもよい。
【００３３】
外部ネットワーク受信デバイス１２０および１３０ならびにローカルネットワークデバイス１６０は、ディスプレイ機能を含んでよく、または図示されない外部ディスプレイデバイス（たとえばディスプレイデバイス１８０）に接続されてもよいことに留意することが重要である。更に、外部ネットワーク受信デバイス１２０および１３０ならびにローカルネットワークデバイス１６０は、図示されないメディアコンテンツ再生デバイス１７０などのメディアコンテンツ再生デバイスに接続するためのインターフェースを含んでもよい。コンピュータデバイス、タブレット、ゲートウェイ、ディスプレイデバイス、テレビ、ワイヤレス電話、ＰＤＡ、コンピュータ、ゲーミングプラットフォーム、リモートコントロール、マルチメディアプレーヤ、またはホームネットワーキング機器などを含むがこれらに限定されないディスプレイ機能を有する他のデバイスが、本開示の教示を利用してよく、本開示の範囲内であるとみなされることを認識されたい。
【００３４】
動作中に、システム１００は、ＭｏＣＡネットワークもしくはローカルネットワークまたは両方のネットワークを使用して、ユーザのホーム内のデバイスの間で接続しメディアコンテンツを共有するためのネットワーキングおよび通信能力を提供する。一実施形態では、特定のプログラムのためのメディアコンテンツが、外部ネットワーク受信デバイス１２０によって同調され、ＭｏＣＡインターフェース１１０を介してＭｏＣＡネットワークデバイス１４０に提供され、ディスプレイデバイス１８０上で視聴される。特定のプログラムを視聴した後、ＭｏＣＡネットワークデバイス１４０は、ユーザによってオフにされて、ＭｏＣＡネットワークデバイス１４０は、スタンバイモードと呼ばれる第１の動作状態に置かれる。メディアコンテンツ再生デバイス１７０によってＭｏＣＡネットワークデバイス１４０に信号が提供された場合、ＭｏＣＡネットワークデバイス１４０は、パススルーモードとして識別される第２の動作状態に入る。パススルーモードでは、メディアコンテンツ再生デバイスからの信号は、ＭｏＣＡネットワークデバイス１４０内の回路構成を通過することによって、メディアコンテンツ再生デバイス１７０とディスプレイデバイス１８０との間で接続される。
【００３５】
所定の時間を過ぎてメディアコンテンツ再生デバイス１７０から信号が検出されていない場合、ＭｏＣＡネットワークデバイス１４０は、より低電力のスタンバイ（lower power standby）、ディープスタンバイ、またはディープオフモードとして識別される第３の動作状態に入ることができる。あるいは、ＭｏＣＡネットワークデバイス１４０は、ユーザがデバイスをオフにした後の所定の時間期間に、第２の動作状態すなわちパススルーモードに置かれてよい。結果として、ユーザの操作効率を改善しつつ、ＭｏＣＡネットワークデバイス１４０の電力消費動作を改善することができる。電力消費モードの動作に関係した更なる詳細については後で説明される。１つよりも多い物理通信ネットワークおよび電力消費管理を用いるホームネットワークにおけるメディアコンテンツの共有および配信に関係した他の実施形態も可能である。
【００３６】
図１のシステム１００は、主としてローカルＭｏＣＡネットワークとイーサネットネットワークのような第２のローカルネットワークとを用いて動作するものとして説明されていることを当業者には認識されたい。しかしながら、有線または無線の物理インターフェースのいずれかを組み込む他のネットワーク規格が使用されてもよい。たとえば、第２のローカルネットワークは、ＷｉＦｉ、ブルートゥース（登録商標）、またはＩＥＥＥ８０２．１１を使用するワイヤレスネットワークであってよい。電話回線または電力線ネットワークなど他の有線ネットワークが、ＭｏＣＡネットワークの代わりに使用されてもよい。更に、２つよりも多いネットワークが、代わりまたは同時に一緒に使用されてもよい。
【００３７】
次に図２を参照すると、本発明の特徴を使用する信号受信デバイス２００の例示的な実施形態のブロック図が示されている。信号受信デバイス２００は、図１で説明された外部ネットワーク受信デバイス１２０および外部ネットワーク受信デバイス１３０と同様の様式で動作する。信号受信デバイス２００は、主にケーブルネットワークサービスプロバイダから信号を受信し、しばしば、ホームメディアセンター、ホームゲートウェイ、またはメディア配信センターとして説明される。信号は、サービスプロバイダによって提供され、ブロードキャストオーディオおよびビデオプログラムならびにそのコンテンツを表し、インターネットにインターフェースされるデータ信号も含み得る。１つまたは複数のコンポーネントが、テレビまたはディスプレイモニター（図示せず）などのディスプレイデバイスと一体化され得ることに留意することが重要である。いずれの場合も、信号受信デバイス２００の完全な動作のために必要ないくつかのコンポーネントおよび相互接続は、簡潔にするために図示されないが、それらの図示されないコンポーネントは当業者によく知られている。
【００３８】
外部ネットワーク（たとえばケーブルネットワーク）または内部もしくはホームネットワーク（たとえばＭｏＣＡネットワーク）からの信号は、フィルター２０３で信号受信デバイス２００にインターフェースされる。フィルター２０３はスプリッター２０４に接続する。スプリッター２０４は２つの信号処理経路に接続する。第１のパスは、チューナ２０５、リンク回路２０６、およびトランスポート復号器２０８を含み、それらはまとめて直列に接続されている。第２のパスは、チューナ２１０、リンク回路２１２、およびトランスポート復号器２１４を含み、それらはまとめて直列に接続されている。トランスポート復号器２０８およびトランスポート復号器２１４の出力は、それぞれがコントローラ２１６に接続する。コントローラ２１６は、セキュリティインターフェース２１８、外部通信インターフェース２２０、ユーザパネル２２２、リモートコントロール受信器２２４、オーディオ／ビデオインターフェース２２６、電源２２８、およびメモリ２３０に接続する。外部通信インターフェース２２０、リモートコントロール受信器２２４、オーディオ／ビデオ出力２２６、および電源２２８は、セットトップボックス２０２のための外部インターフェースを提供する。フィルター２０３はまた、ＭｏＣＡ回路２３４に接続する。ＭｏＣＡ回路２３４は更に、コントローラ２１６に接続する。
【００３９】
各々が複数のチャネルおよびＭｏＣＡネットワーク信号などのホームネットワーク信号を含む、１つまたは複数のケーブル信号ストリームが、無線周波数（ＲＦ）同軸ケーブルを介してフィルター２０３で受信される。好ましい実施形態では、約１２５個のチャネルのセットが、５０メガヘルツ（ＭＨｚ）から８００ＭＨｚの周波数範囲でケーブルネットワークから受信される。フィルター２０３は、それぞれの周波数パスバンドが重ならないように、別個のハイパスフィルターおよびローパスフィルタを含む。しばしばダイプレクサと呼ばれる構成が、信号フィルタリングにより、ＭｏＣＡ信号からの入来ケーブル信号の分離を可能にする。好ましい実施形態では、ローパスフィルタの周波数応答パスバンドは、９００ＭＨｚより低い周波数で終わる。ローパスフィルタは、９５０ＭＨｚから１２００ＭＨｚの周波数範囲のＭｏＣＡ信号を減衰させ、または通過させない一方、５０ＭＨｚから８００ＭＨｚの周波数範囲のケーブル信号が次のブロックへ通過することを可能にする。ハイパスフィルター部分は、逆の様式で動作して、ＭｏＣＡ信号を通過させ、ケーブル信号を減衰させる。
【００４０】
フィルター２０３のローパスフィルタからの出力信号は、スプリッター２０４に提供される。スプリッター２０４は、入来する変換された信号ストリームを２つの別個の信号ストリームに分離または分割する。スプリッター２０４は、無線周波数の変換された信号ストリームに対して動作し、スプリッター２０４の入力に存在する信号電力を分割または分離する。スプリッター２０４はまた、動作周波数の範囲全体にわたって適切な入力および出力動作インピーダンスを保持する。一実施形態では、スプリッター２０４は、３デシベル（ｄＢ）と５ｄＢとの間の信号挿入損失を有し、入力および両方の出力で７５オームの動作インピーダンスを有するように、変換された信号ストリームを２つの信号ストリームに分離する。
【００４１】
スプリッター２０４からの別個の分離された信号ストリームのそれぞれは、別個の信号処理経路において処理される。上方の信号経路は、チューナ２０５、リンク回路２０６、およびトランスポート復号器２０８を含み、信号経路は直列形式で接続されている。下方の信号経路も、チューナ２１０、リンク回路２１２、およびトランスポート復号器２１４を含み、その信号経路も直列形式で接続されている。各処理経路は、分離信号ストリームの１つに対して本質的に同一の信号処理を行うことができる。したがって、ここでは上方の信号処理経路を更に説明する。
【００４２】
スプリッター２０４からの上方分離信号ストリームは、チューナ２０５に提供される。チューナ２０５は、分離信号ストリームにおけるチャネルの１つを選択するまたは同調することによって分離信号ストリームを処理して、１つまたは複数のベースバンド信号を生成する。チューナ２０５は、分離信号ストリームを増幅し、フィルタリングし、周波数変換するための回路（たとえば、増幅器、フィルター、ミクサー、および発振器）を含む。チューナ２０５は、典型的にはリンク回路２０６によって制御または調整される。あるいは、チューナ２０５は、後で説明されるコントローラ２１６のような別の回路素子によって制御されてもよい。制御コマンドは、周波数変換を行うためにチューナ２０５内のミクサーと共に使用される発振器の周波数を変更するためのコマンドを含む。
【００４３】
典型的には、チューナ２０５の出力におけるベースバンド信号は、所望の受信信号と集合的に呼ばれる場合があり、入力信号ストリームとして受信されたチャネルのグループから選択された１つの衛星チャネルを表す。ベースバンド信号として信号が説明されているが、この信号は、実際には単にベースバンドに近い周波数に位置してよい。
【００４４】
チューナ２０５からの１つまたは複数のベースバンド信号は、リンク回路２０６に提供される。リンク回路２０６は、典型的には、リンク回路２０６の残りの回路構成による復調のために、１つまたは複数のベースバンド信号をディジタル信号に変換するのに必要とされる処理回路を含む。一実施形態では、ディジタル信号は、１つまたは複数のベースバンド信号のディジタルバージョンを表すことができる。別の実施形態では、ディジタル信号は、１つまたは複数のベースバンド信号のベクトル形式を表すことができる。リンク回路２０６はまた、ディジタル信号に対して復調および誤り訂正を行ってトランスポート信号を生成する。トランスポート信号は、しばしばシングルプログラムトランスポートストリーム（single program transport streams：ＳＰＴＳ）と呼ばれる１つのプログラムのデータストリームを表すことができ、またはそれは、多重プログラムトランスポートストリーム（multiple program transport stream：ＭＰＴＳ）と呼ばれる、まとめて多重化された複数のプログラムストリームを表すことができる。
【００４５】
トランスポート信号は、トランスポート復号器２０８に提供される。トランスポート復号器２０８は、典型的には、ＳＰＴＳまたはＭＰＴＳのいずれかとして提供されるトランスポート信号を、個別のプログラムストリームおよび制御信号に分離する。トランスポート復号器２０８また、プログラムストリームを復号し、これらの復号されたプログラムストリームからオーディオおよびビデオ信号を作成する。一実施形態では、トランスポート復号器２０８は、ユーザ入力によってまたはコントローラ２１６などのコントローラによって、ユーザにより選択された１つのプログラムストリームのみを復号し、この１つの復号されたプログラムストリームに対応する１つのみのオーディオおよびビデオ信号を作成するように指示される。別の実施形態では、トランスポート復号器２０８は、利用可能なプログラムストリームのすべてを復号して、ユーザ要求に応じて１つまたは複数のオーディオおよびビデオ信号を作成するように指示され得る。
【００４６】
トランスポート復号器２０８とトランスポート復号器２１４の両方からのオーディオおよびビデオ信号は、任意の必要な制御信号と共に、コントローラ２１６に提供される。コントローラ２１６は、オーディオ、ビデオ、および制御信号のルーティングおよびインターフェーシングを管理し、また、セットトップボックス２０２内の種々の機能を制御する。たとえば、トランスポート復号器２０８からのオーディオおよびビデオ信号は、コントローラ２１６を介してオーディオ／ビデオ（Ａ／Ｖ）インターフェース２２６にルーティングされる。Ａ／Ｖインターフェース２２６は、外部デバイス（たとえば、図１で説明されたディスプレイデバイス１８０）による使用のために、信号受信デバイス２００からオーディオおよびビデオ信号を供給する。一実施形態では、Ａ／Ｖインターフェース２２６は、ＨＤＭＩ接続のためのインターフェースを含む。別の実施形態では、オーディオ／ビデオインターフェース２２６は、外部ソース（たとえば、図１で説明されたメディアコンテンツ再生デバイス１７０）から信号を受信するための入力回路構成を含む。更に別の実施形態では、信号受信デバイス２００は、Ａ／Ｖインターフェース２２６を使用して外部デバイスから外部ディスプレイデバイスへ信号を戻してルーティングする能力を含むことができる。
【００４７】
また、トランスポート復号器２１４からのオーディオおよびビデオ信号は、記録および記憶のために、コントローラ２１６を介してメモリブロック２３０へルーティングされ得る。メモリブロック２３０は、スタティックランダムアクセスメモリ（ＳＲＡＭ）、ダイナミックＲＡＭ（ＤＲＡＭ）などの１つまたは複数の大容量集積電子メモリ、または、ハードディスクドライブもしくは交換可能な光ディスクストレージシステム（たとえば、コンパクトディスクドライブもしくはディジタルビデオディスクドライブ）などのハード記憶媒体を含む、いくつかの形態のメモリを含み得る。メモリブロック２３０は、コントローラ２１６によって使用される命令およびデータの記憶のためのメモリ部、ならびにオーディオおよびビデオ信号の記憶のためのメモリ部を含んでよい。コントローラ２１６はまた、代替の形式（たとえば、トランスポート復号器２０８またはトランスポート復号器２１４からのＭＰＴＳまたはＳＰＴＳ）でメモリブロック２３０における信号の記憶を可能にしてもよい。
【００４８】
コントローラ２１６はまた、外部通信インターフェース２２０に接続される。外部通信インターフェース２２０は、サービスプロバイダコンテンツの課金および使用を確立するための信号を提供することができる。外部通信インターフェース２２０は、電話接続をサービスプロバイダに提供するための電話モデムを含むことができる。外部通信インターフェース２２０は、追加のローカルネットワーク（たとえばイーサネットネットワーク）に接続するためのインターフェースも含む。ローカルネットワークは、イーサネットネットワークに接続された他のデバイス（たとえば、ホーム内の他のメディアデバイス）との間でデータ、オーディオおよび／またはビデオ信号ならびにコンテンツを通信するために使用され得る。
【００４９】
コントローラ２１６はまた、オーディオ／ビデオ信号の使用を管理および許可する信号を通信するため、ならびに許可されていない使用を阻止するためのセキュリティインターフェース２１８に接続する。セキュリティインターフェース２１８は、スマートカードなどの取り外し可能なセキュリティデバイスを含み得る。ユーザ制御は、セットトップボックスを制御するユーザコマンドの直接入力を提供するためのユーザパネル２２２、ならびに、外部のリモートコントロールデバイスからコマンドを受信するリモートコントロール受信器２２４を用いて実現される。ユーザパネル２２２は、信号受信デバイス２００によって実行される機能および動作の状態を表示するための複数のインジケータライトを含むことができる。一実施形態では、ユーザパネル２２２は、記録、ネットワーク状態、ディスプレイ解像度、および電力に関するインジケータを含むことができる。
【００５０】
図示されていないが、コントローラ２１６はまた、チューナ２０５、２１０、リンク回路２０６、２１２、およびトランスポート復号器２０８、２１４に接続して、ブロック間で制御情報を渡すことに加えて初期化およびセットアップ情報を提供してもよい。最後に、電源２２８は、典型的には、信号受信デバイス２００内のブロックのすべてに接続し、それらのブロックに電力を供給する。
【００５１】
ＭｏＣＡ回路２３４は、受信と送信の両方のためにＭｏＣＡ信号を増幅し処理する。上述されたように、ＭｏＣＡインターフェースは、ホームネットワークにおけるオーディオおよびビデオ信号の通信を可能にし、双方向で動作することができる。ＭｏＣＡ回路２３４は、別のネットワーク接続されたデバイスから信号受信デバイス２００によって受信されるＭｏＣＡ信号の受信性能を改善するための低ノイズ増幅器を含む。受信され増幅された信号は、同調され、復調され、復号される。復号された信号は、オーディオおよびビデオ出力、ならびに図示されていない大容量記憶デバイス（たとえば、ハードディスクドライブおよび光ドライブなど）を含む、いくつかの他の回路に供給され得る。加えて、ＭｏＣＡ回路２３４は、入力から受信されたコンテンツ（たとえばケーブル信号）および大容量記憶デバイスからのコンテンツを含む、信号受信デバイスで利用可能なオーディオおよびビデオコンテンツを使用して、ＭｏＣＡ送信信号を生成しフォーマットする。ＭｏＣＡ回路２３４は、信号受信デバイス２００によって別のネットワーク接続されたデバイスへ送られるＭｏＣＡ信号の送信信号レベルを上げるための電力増幅器を更に含む。ＭｏＣＡ回路２３４における受信信号増幅および送信信号増幅の調整は、コントローラ２１６によって制御され得る。
【００５２】
信号受信デバイス２００内に記載されたブロックは重要な相互関係を有し、いくつかのブロックは組み合わされおよび／または再配列され、依然として同じ基本的な機能全体を提供し得ることを当業者には認識されたい。たとえば、トランスポート復号器２０８およびトランスポート復号器２１４は組み合わされ、更に、コントローラ２１６の機能の一部または全部と共に、信号受信デバイス２００のためのメインコントローラとして動作するシステムオンチップ（ＳｏＣ）に一体化されてよい。更に、種々の機能の制御は、特定の設計適用および必要条件に基づいて配信されまたは割り当てられ得る。例として、２つの入力信号ストリームのための処理経路は、特定のタイプの信号に関して動作することができる。チューナ２０５、リンク回路２０６、およびトランスポート復号器２０８は、高解像度オーディオおよびビデオフォーマットにおいてコンテンツを含む衛星信号を受信し、復調し、復号することができる一方、チューナ２１０、リンク回路２１２、およびトランスポート復号器２１４は、プログラムガイドの動作を維持するためのデータを含む信号を受信し、復調し、復号することができる。
【００５３】
次に図３を参照すると、本発明の特徴を使用するネットワークデバイス３００の例示的な実施形態のブロック図が示されている。ネットワークデバイス３００は、図１で説明されたＭｏＣＡネットワークデバイス１４０と同様の様式で動作する。ネットワークデバイス３００の一部または全部は、図１で説明された外部ネットワークデバイス１２０または１３０のような、より大きなホームエンターテイメントデバイスの一部として含まれ得る。ネットワークデバイス３００は、主にホーム配信ネットワーク内の中央ゲートウェイデバイスから信号を受信し、しばしば、シンクライアントセットトップボックス、リモート受信器、またはクライアントデバイスとして説明される。信号は、ＭｏＣＡネットワークまたは他の有線もしくは無線ネットワークのようなホームネットワークを介して提供される。１つまたは複数のコンポーネントが、テレビまたはディスプレイモニター（図示せず）などのディスプレイデバイスと一体化され得ることに留意することが重要である。いずれの場合も、信号受信デバイス３００の完全な動作のために必要ないくつかのコンポーネントおよび相互接続は、簡潔にするために図示されないが、それらの図示されないコンポーネントは当業者によく知られている。
【００５４】
ホームまたはローカルネットワーク（たとえばＭｏＣＡネットワーク）の一部として配信される信号は、コネクター３０２によってインターフェースされる。コネクター３０２は、フィルター３０４に接続される。フィルター３０４は、ＲＦフロントエンド３０６に接続される。ＲＦフロントエンド３０６は、ＭｏＣＡトランシーバ３０８に接続される。ＭｏＣＡトランシーバ３０８は、メインコントローラ３１０に接続される。メインコントローラ３１０はまた、フロントパネルインターフェース３１２、セキュアディジタル（ＳＤ）カードリーダ３１４、スタンバイプロセッサー３２０、イーサネット回路３４０、ユニバーサルシリアルバス（ＵＳＢ）インターフェース、およびＨＤＭＩ  Ａ／Ｖプロセッサー３６０に接続される。イーサネット回路３４０は、イーサネットコネクター３４５に接続される。スタンバイプロセッサー３２０は更に、家電用無線周波数（radio frequency for consumer electronics：ＲＦ４ＣＥ）トランシーバ３２２、赤外線（ＩＲ）ＩＲ受信器３２４、データメモリ３３０、制御メモリ３３５、およびＨＤＭＩ受信器３６２に接続される。ＲＦ４ＣＥトランシーバ３２２は更に、アンテナ（図示せず）に接続される。ＨＤＭＩ  Ａ／Ｖプロセッサーは更に、ＨＤＭＩ受信器３６２およびＨＤＭＩコネクター３６６に接続される。ＨＤＭＩ受信器３６２は更に、ＨＤＭＩコネクター３６４に接続される。電力が電源アダプタ３７０に提供される。電源アダプタ３７０は、ジャック３７２に接続する。ジャック３７０は、レギュレータ３７２に接続する。レギュレータ３７２は、Ｖｃｃとしてラベル付けされた電力信号を信号受信デバイス３００内の要素に提供する。Ｖｃｃに関する接続は図示されていない。
【００５５】
オーディオ、ビデオ、および／またはデータプログラムコンテンを含むＭｏＣＡ信号が、中央配信ユニット（たとえば、図２で説明された信号受信デバイス２００、または図１で説明された外部ネットワーク受信デバイス１２０もしくは１３０）からケーブル（たとえば同軸ケーブル）を通してコネクター３０２で受信され、フィルター３０４を通過する。フィルター３０４は、ケーブル上に存在する他の信号を減衰させる一方、ＭｏＣＡ信号を通過させる。フィルター３０４はまた、ＲＦフロントエンド３０６から送信された任意の望ましくない信号を濾波する。ＲＦフロントエンド３０６は、ＭｏＣＡ信号を受信するため、およびＭｏＣＡ信号を信号受信デバイス３００からホームネットワークに送信するために使用されるチューナおよび増幅器を含む。ＲＦフロントエンド３０６からの同調された入力信号は、ＭｏＣＡトランシーバ３０８に提供される。ＭｏＣＡトランシーバ３０８は、同調された入力信号を復調し、オーディオ、ビデオ、および／またはデータプログラムコンテンツ信号をメインコントローラ３１０に提供する。
【００５６】
メインコントローラ３６０はまた、スタンバイプロセッサー３２０、ＨＤＭＩ  Ａ／Ｖプロセッサー３６０、ＳＤカードリーダ３１４、イーサネット回路３４０、およびフロントパネルインターフェース３１２を含むネットワークデバイス３００内のいくつかのコンポーネントに対して相互接続される。メインコントローラ３６０は、種々の通信ネットワークインターフェース間の信号を変換するための変換プロセスおよびルーティングを管理および制御する。メインコントローラ３６０は、ＭｏＣＡトランシーバ３０８を介してＭｏＣＡネットワークから受信された信号をシリアルイーサネットまたは縮小ギガビットメディア独立インターフェースフォーマット（reduced gigabit media independent interface format）に変換し、変換された信号を、イーサネット回路３４０を介してイーサネットネットワークに提供することができる。メインコントローラ３６０は、同様に、ＨＤＭＩ  Ａ／Ｖプロセッサー３６０を介してディスプレイデバイスに信号を提供することができる。メインコントローラ３６０はまた、ＵＳＢコネクター３５０を介してコンピュータネットワークまたはデバイスに信号を提供する。同様に、メインコントローラ３６０は、上記の通信ネットワークの１つまたは複数からの入力を受信し変換し、信号をＭｏＣＡトランシーバ３０８に提供する、またはインターフェースを介して任意の他の通信ネットワークに提供することができる。
【００５７】
イーサネット回路３４０は、イーサネットコネクター３４５を介して、ローカルネットワーク上のデバイスとの間でデータの転送をする。ローカルネットワークは、ローカルネットワークに接続された他のデバイス（たとえば、ホーム内の他のメディアデバイス）との間でデータ、オーディオおよび／またはビデオ信号ならびにコンテンツを通信するために使用され得る。イーサネットコネクターは、典型的な登録されたジャックタイプＲＪ−４５物理インターフェースコネクター、または他の標準的インターフェースコネクターであってよく、外部ローカルコンピュータに対する接続を可能にする。
【００５８】
ＳＤカードリーダ３１４は、追加の外部ストレージの接続をサポートし、メインコントローラ３１０と共に外部情報（たとえば、画像、ビデオファイル、およびオーディオファイルなど）の転送を可能にすることができる。
【００５９】
ユーザ制御およびディスプレイ状態は、フロントパネルインターフェース３１２を用いて実現される。フロントパネルインターフェース３１２は、デバイスを制御するためのユーザコマンドの直接入力を提供する。フロントパネルインターフェース３１２はまた、デバイスによって実行される機能および動作の状態を表示するための複数のインジケータライトを含むことができる。一実施形態では、フロントパネルインターフェース３１２は、電源ボタンと、記録、ネットワーク状態、ディスプレイ解像度、および電力に関するインジケータとを含むことができる。
【００６０】
スタンバイプロセッサー３２０は、ＲＦ４ＣＥトランシーバ３２２および／またはＩＲ受信器３２４から入力部を介して提供されたユーザ入力信号を受信し処理するように動作する。入力信号は、ユーザによって動作させられるリモートコントロールデバイスによって生成され、リモートコントロールデバイスは、ＩＲリモートコントロール、ＲＦリモートコントロール、ジェスチャベースのコントローラ、またはタッチパッドデバイスを含むがこれらに限定されない。
【００６１】
ＲＦ４ＣＥトランシーバ３２２は、ＲＦリモートコントロールに対する一方向または双方向の通信インターフェースとして動作することができる。好ましい実施形態では、インターフェースは、リモートコントロールデバイスからユーザ制御コマンドを受信する一方向性のものである。ＲＦ４ＣＥトランシーバ３２２はまた、受信を改善するようにダイバーシチアンテナ構成の２つのアンテナに接続するものとして示される。他の実施形態では、より多数または少数のアンテナが使用されてもよい。ＩＲ受信器３２４は、同様に、ＩＲリモートコントロールデバイスに対する受信器インターフェースとして動作する。ＩＲ受信器３２４は、同様に、リモートコントロールデバイスからユーザ制御コマンドを受信する。いくつかの場合、同じリモートコントロールデバイスが、ＩＲ送信回路とＲＦ送信回路の両方を含むことができる。スタンバイプロセッサー３２０は、信号を受け入れる入力をどれからにするか（すなわち、ＲＦ４ＣＥトランシーバ３２２またはＩＲ受信器３２４）を決定するためのプロセスを含むことができる。
【００６２】
スタンバイプロセッサーは更に、データメモリ３３０と制御メモリ３３５の両方に結合される。データメモリ３３０は、デバイス３００によって使用される、プログラムガイド情報またはメディアコンテンツの一部などの一時的情報を記憶するために使用され得る。データメモリ３３０はまた、コンテンツを含むグラフィック要素などの要素のデータベースを記憶することができる。データベースは、グラフィック要素のパターンとして記憶されてよい。あるいは、メモリは識別またはグループ化されたメモリ位置にグラフィック要素を記憶し、アクセスまたは位置テーブルを使用して、グラフィック要素に関係付けられた情報の種々の部分についてのメモリ位置を識別することができる。制御メモリ３３５は、スタンバイプロセッサー３２０ならびにメインコントローラ３１０およびＨＤＭＩ  Ａ／Ｖプロセッサー３６０によって使用される動作コードを記憶するために使用され得る。
【００６３】
電力は、住宅主電源（たとえば、１１０ボルト）に接続された外部電源アダプタ３７０を介してネットワークデバイス３００に提供される。電源アダプタ３７０は、主電力を１つまたは複数のより低い電力信号（たとえば１２ボルト）に変換し、電源ジャック３７２を介してレギュレータ３７４に信号を提供する。レギュレータ３７４は、個々の電源信号をネットワークデバイス３００内の種々の要素に供給する。
【００６４】
スタンバイプロセッサー３２０はまた、レギュレータ３７４、およびネットワークデバイス３００内の他の１つまたは複数の要素と関連して動作する電力管理のための回路構成および処理を含むことができる。一実施形態では、レギュレータ３７４内の１つまたは複数の回路は、スタンバイプロセッサー３２０からの制御信号（図示せず）によって、パワーオンおよびパワーオフするように制御される。加えて、メインコントローラ３１０、およびＨＤＭＩ受信器３６２はＨＤＭＩ  Ａ／Ｖプロセッサーと共に、入力Ｖｃｃ信号とは別にパワーダウンパワーイネーブル信号（power down power enable signal）のための入力部を含む。このパワーダウンまたはパワーイネーブル信号は、スタンバイプロセッサー３２０によって、またはスタンバイプロセッサー３２０および／もしくはレギュレータ３７４に関連したネットワークデバイス３００内の別の要素から、提供され得る。スタンバイプロセッサー３２０における電力管理および制御機能は、ネットワークデバイス３００内の１つまたは複数のスタンバイモードを実装するために使用され得る。１つまたは複数のスタンバイモードについての追加の詳細は、後で更に説明される。
【００６５】
データメモリ３３０および制御メモリ３３５は、任意の知られているメモリ技術（たとえば、ＲＡＭ、ＳＲＡＭ、ＤＲＡＭ、ＲＯＭ、プログラマブルＲＯＭ（ＰＲＯＭ）、フラッシュメモリ、電子的プログラマブルＲＯＭ（ＥＰＲＯＭ）、電子的に消去可能なプログラマブルＲＯＭ（ＥＥＰＲＯＭ）などを含む、揮発性および不揮発性メモリ）を使用することができる。更に、データメモリ３３０および制御メモリ３３５の実現は、単一のメモリデバイス、あるいは、共有または共通メモリを形成するように一緒に通信可能に接続または結合された１つよりも多いメモリ回路など、いくつかの可能な実施形態を含むことができる。
【００６６】
ＨＤＭＩコネクター３６４におけるＨＤＭＩ入力信号は、ＨＤＭＩ受信器３６２に提供される。ＨＤＭＩ受信器３６２は、入力信号のための同期およびタイミング制御、ならびに任意の信号フォーマット変換を提供する。一実施形態では、ＨＤＭＩ受信器３６２は、ＨＤＭＩ信号を、国際無線通信諮問委員会（Consultative Committee for International Radio：ＣＣＩＲ）規格６５６フォーマットビデオ信号、ならびに別個のオーディオ信号に変換する。ＨＤＭＩ受信器３６２はまた、１つまたは複数の入力信号検出回路を含む。検出回路は、１つまたは複数のモニター機能を使用する回路構成を含むことができる。好ましい実施形態では、家電通信（consumer electronics communication：ＣＥＣ）インターフェース信号などのＨＤＭＩ信号内の追加の制御信号の存在が、モニターまたは検出され得る。この信号は、ソースデバイス（たとえば、ＣＤまたはＤＶＤプレーヤ）によって生成され、モニターするために必要とされる追加の電力が非常に少ない。他の実施形態では、集積回路間（inter-integrated circuit:ＩＩＣ）通信などの他の通信がモニターされ得る。更に他の実施形態では、オーディオおよび／またはビデオ信号の閾値レベルを有する直接電力レベル検出が使用され得る。更に、いくつかの実施形態では、検出機構のうちの１つまたは複数が、ＨＤＭＩ受信器３６２におけるレジスタ値またはレジスタ内のビットをセットまたはリセットすることができる。他の実施形態では、検出機構は、ＨＤＭＩ  Ａ／Ｖプロセッサー３６０またはスタンバイプロセッサー３２０に送られ得るＨＤＭＩ受信器３６２における割り込み信号をトリガーすることができる。更に他の実施形態では、スタンバイプロセッサー３２０が、直接的にまたはレジスタもしくは割り込み信号を読み取ることによって、検出機構をモニターするために、ＨＤＭＩ受信器３６２をポーリングすることができる。
【００６７】
ＨＤＭＩ受信器からの処理された信号は、ＨＤＭＩ  Ａ／Ｖプロセッサー３６０に提供される。ＨＤＭＩ  Ａ／Ｖプロセッサー３６０は更に、必要に応じて信号のオーディオ部分およびビデオ部分を分離することができる。ＨＤＭＩ  Ａ／Ｖプロセッサー３６０はまた、外部デバイス上の表示のために必要な任意のフォーマット変換を含む任意の更なる信号変換を提供してもよい。ＨＤＭＩ  Ａ／Ｖプロセッサー３６０は更に、ＨＤＭＩ入力部を介して提供された信号が別の通信ネットワークに対して要求されたとき、信号をメインコントローラ３１０にルーティングする。ＨＤＭＩ  Ａ／Ｖプロセッサー３６０はまた、ＨＤＭＩコネクター３６６を介してＨＤＭＩ出力信号として信号（たとえば、ＨＤＭＩ受信器３６２を介して提供された信号、またはメインコントローラ３１０からルーティングされた信号）をルーティングする。
【００６８】
ネットワークデバイス３００内に記載されたブロックは重要な相互関係を有し、いくつかのブロックは組み合わされおよび／または再配列され、依然として同じ基本的な機能全体を提供し得ることを当業者には認識されたい。たとえば、メインコントローラ３１０およびスタンバイプロセッサー３２０は組み合わされ、更に、ＨＤＭＩ  Ａ／Ｖプロセッサー３６０の機能の一部または全部と共に、ネットワークデバイス３００のためのメインコントローラとして動作するシステムオンチップ（ＳｏＣ）に一体化されてよい。
【００６９】
動作中に、スタンバイプロセッサーは、ユーザ入力についてＩＲ受信器およびＲＦ４ＣＥトランシーバをモニターする。フロントパネルインターフェース３１２上の電源ボタンもユーザ入力としてモニターされ得る。ユーザ入力は、スタンバイモードからオンモードへ、またはオンモードからスタンバイモードへのネットワークデバイス３００の状態変化を決定するためにモニターされる。信号受信デバイス３００がアクティブスタンバイモードにある場合、ＨＤＭＩ受信器３６２は、ＨＤＭＩコネクター３６４を介するビデオ信号の存在についてもモニターする。ビデオ信号が存在する場合、ＨＤＭＩ受信器３６２は、パワーアップしてオーディオおよびビデオ信号の処理を開始するように、通知信号をＨＤＭＩ  Ａ／Ｖプロセッサー３６０に提供し、信号をＨＤＭＩコネクター３６４に返す。このように、パススルースタンバイモードで動作する。アクティブスタンバイモードでは、スタンバイプロセッサー３２０、ＲＦ４ＣＥトランシーバ３２２、ＩＲ受信器３２４、およびＨＤＭＩ受信器３６２のみがパワーオンされ得ることに留意することが重要である。パススルースタンバイモードでは、これらの要素に加えてＨＤＭＩ  Ａ／Ｖ受信器３６０がパワーオンされ得る。最後に、ＨＤＭＩ受信器３６２において信号が存在しないと決定された場合、ネットワークデバイス３００はディープスタンバイモードに入ることができる。このモードでは、ＨＤＭＩ受信器３６２はパワーダウンされる。
【００７０】
ネットワークデバイス３００における種々のスタンバイモードのための他の動作条件および構成に留意されたい。代替的実施形態では、ＨＤＭＩ受信器３６２が、ＨＤＭＩコネクター３６４における入力信号の存在を決定することができる。スタンバイプロセッサー３６０は、信号受信条件を決定するために、定期的に（たとえば、５秒ごとに１回）ＨＤＭＩ受信器３６２に問い合わせてよい。信号受信条件が真である場合、スタンバイプロセッサー３６０は、パススルーモードにおいて、ＨＤＭＩ  Ａ／Ｖプロセッサー３６０にパワーオンするように指示し、（直接的に、または代替の低電力動作モードで動作しているメインコントローラ３１０を介して）受信された信号を処理して、信号をＨＤＭＩコネクター３６６に提供する。
【００７１】
図４Ａおよび図４Ｂを参照すると、本開示の特徴によるデバイスにおいて使用されるオーディオ／ビデオ接続回路４００の例示的な実施形態が示されている。接続回路４００は、図３で説明されたネットワークデバイス３００などのネットワークデバイスに含まれ得る。接続回路４００はまた、図２で説明された信号受信デバイス２００などの信号受信デバイスにおいて使用され得る。接続回路４００はまた、図１で説明された外部ネットワーク受信デバイス１２０、外部ネットワーク受信デバイス１３０、ＭｏＣＡネットワークデバイス１４０、またはローカルネットワークデバイス１６０など他のデバイスにおいて使用され得る。接続回路４００の完全な動作のために必要ないくつかのコンポーネントおよび相互接続は、簡潔にするために図示されないが、それらの図示されないコンポーネントは当業者によく知られている。
【００７２】
接続回路４００は、信号（たとえばＨＤＭＩ信号）を入力するために使用されるコネクター４１０を含む。コネクター４１０上の端子１、３、４、６、７、９、１０、１２、１５、１６、１８、および１９は、ＨＤＭＩ受信器４２０に直接接続する。端子１３は、素子４２４を介してＨＤＭＩ受信器４２０に接続し、また、素子４２６を介してＨＤＭＩプロセッサー４７６に接続する。コネクター４１０上の端子２、５、６、１１、１７、および２０〜２３は接地する。端子１４は、接続されていないままである。図３で説明されたスタンバイプロセッサー３２０などのスタンバイ回路からの入力もＨＤＭＩ受信器４２０に接続する。ＨＤＭＩ受信器４２０は、直接的にまたは素子４３２から４７２を介していくつかの接続を使用してＨＤＭＩプロセッサー４７６に接続する。ＨＤＭＩ受信器４２０はまた、Ｖｃｃ１としてラベル付けされた端子に接続する。Ｖｃｃ１は、素子４２２を介して接地する。ＨＤＭＩ受信器４２０はまた、素子４２８を介して接続された２つの端子を含み、その１つの端子は更に素子４３０を介して接地される。
【００７３】
ＨＤＭＩプロセッサー４７６は、素子４７２を有する端子点で素子４７４を介してＶｃｃ１に接続する。ＨＤＭＩプロセッサー４７６は、Ｖｃｃ３としてラベル付けされた端子に接続し、接地もする。Ｖｃｃ３は更に、素子４７８を介して接地する。ＨＤＭＩプロセッサー４７６は、素子４８０から４８７を介して、コネクター４９５上の端子１、３、４、６、７、９、１０、および１２に接続する。ＨＤＭＩプロセッサー４７６はまた、コネクター４９５上の端子１３、１５、１６、および１９に直接接続する。ＨＤＭＩプロセッサー４７６とコネクター４９５上の端子１９との間の接続も、素子４８８を介して接地する。ＨＤＭＩプロセッサー４７６とコネクター４９５上の端子１３との間の接続は更に、素子４８９を介してＶｃｃ１に接続する。ＨＤＭＩプロセッサー４７６とコネクター４９５上の端子１５および１６の間の接続も、それぞれ素子４９０および４９１を介して、Ｖｃｃ２としてラベル付けされた端子に接続する。コネクター４９５上の端子１８もＶｃｃ２に直接接続する。コネクター４９５上の端子１４は、接続されていないままである。最後に、コネクター４９５上の端子２、５、８、１１、１７、および２０から２３は接地する。
【００７４】
一実施形態では、コネクター４１０およびコネクター４９５は、ＨＤＭＩ信号をインターフェースするために使用される。ＨＤＭＩインターフェースは、両方に対してＤａｔａ２＋、Ｄａｔａ２−、Ｄａｔａ１＋、Ｄａｔａ１−、Ｄａｔａ０＋、およびＤａｔａ０−としてラベル付けされたオーディオおよびビデオ信号を送信するために３つの異なるデータ信号を使用する。ＨＤＭＩ受信器４２０とＨＤＭＩプロセッサー４７６の両方におけるＤａｔａｃｌｋ＋およびＤａｔａｃｌｋ−としてラベル付けされた差動クロック信号が、データに対するクロック信号を提供する。オーディオおよびビデオ信号に対するいくつかのデータフォーマットが提供される。好ましい実施形態では、３つのデータ信号が、輝度およびクロミナンス青およびクロミナンス赤（ＹＣｒＣｂ）色成分セットを搬送する。オーディオ信号は、３つの差動データ信号のうちの１つまたは複数によって多重化されてもよい。
【００７５】
加えて、（ＣＯＮＣＬＫおよびＣＯＮＤＡＴＡとしてラベル付けされた）補助データおよびクロック信号、外部Ｖｃｃ２信号、ならびにホットプラグ信号と共に、ＣＥＣ信号が提供される。また、ＣＥＣ信号は、特に信号パススルー動作で使用するために、ＨＤＭＩプロセッサー４７６に提供される。また、ＨＤＭＩ受信器４２０は、受信されたＨＤＭＩ信号に同期するため、ならびにＨＤＭＩ受信器４２０から提供されたオーディオおよびビデオ信号に対するクロック信号を生成するために使用される、ＸＴＡＬＩＮおよびＸＴＡＬＯＵＴとしてラベル付けされた内部クロックソースを含む。
【００７６】
ＨＤＭＩ受信器４２０は、ＨＤＭＩ信号（たとえば、オーディオおよび／またはビデオ信号）をデバイス内の他のコンポーネントによって使用され得るフォーマットに変換する。本実施形態では、ＨＤＭＩ受信器４２０は、ＨＤＭＩ信号を、ＣＣＩＲ６５６ビデオ信号、および集積回路間音声（inter integrated circuit sound：ＩＩＳまたはＩ2Ｓ）信号に変換する。ＣＣＩＲ６５６信号は、ＨＤＭＩ受信器４２０とＨＤＭＩプロセッサー４７６の両方におけるＶＰ０からＶＰ１５としてラベル付けされた多重化された１６ビットパラレルビデオ信号である。多重化されたビデオ信号は、交互のクロックサイクル上のＹＣｒＣｂ色成分セットからなる。また、ＣＣＩＲ６５６は、ＨＤＭＩ受信器４２０とＨＤＭＩプロセッサー４７６の両方におけるＶｃｌｋとしてラベル付けされたクロック信号、ならびにＨｒｅｆおよびＶｒｅｆとしてラベル付けされた水平および垂直ディスプレイ同期信号を含む。Ｉ2Ｓオーディオ信号は、ＨＤＭＩ受信器４２０とＨＤＭＩプロセッサー４７６の両方におけるＩ2ＳＤａｔａおよびＩ2ＳＣＫとしてラベル付けされたデータおよびクロック信号を含む。
【００７７】
ＨＤＭＩプロセッサー４７６におけるＨＤＭＩ信号として変換信号の再同期を可能にするために、追加のＨＤＭＩ基準信号がＨＤＭＩ受信器４２０とＨＤＭＩプロセッサー４７６との間に提供される。ＨＤＭＩ受信器４２０とＨＤＭＩプロセッサー４７６との間のデータ通信は、Ｉ2ＣＣおよびＩ2ＣＤとしてそれぞれラベル付けされたＩ2Ｃクロックおよびデータを介して処理され得る。ＨＤＭＩ受信器４２０上のＩＮＴとしてラベル付けされた割り込み信号が、ＨＤＭＩ受信器４７６上のＩ2ＣＩＮＴとしてラベル付けされたＩ2Ｃ割り込み入力に提供される。
【００７８】
ＨＤＭＩプロセッサー４７６は、ＨＤＭＩ受信器４２０およびコネクター４１０に関して上述されたように、ＨＤＭＩ信号をコネクター４９５に提供するための同様のＨＤＭＩ信号インターフェースを含む。
【００７９】
ここで説明されている素子の構成は、接続回路４００の好ましい実施形態を表す。表１は、好ましい実施形態のための素子値の例示的セットを示す。
【００８０】
【表１】
2017515334.tif 000003
【００８１】
動作中に、コネクター４１０を介して受信されたＨＤＭＩ信号は、ＨＤＭＩ受信器４２０において処理され、ＣＣＩＲ６５６ビデオ信号およびＩ2Ｓオーディオ信号としてＨＤＭＩプロセッサー４７６に提供される。ＨＤＭＩプロセッサー４７６は、これらの信号をデバイス内の他の処理ブロック（たとえば、図３のメインコントローラ３１０）に提供することができ、または、ＨＤＭＩ信号に信号を変換して戻し、信号をコネクター４９５に提供することができる。
【００８２】
アクティブスタンバイモードと呼ばれる第１のスタンバイモードにおいて、ＨＤＭＩプロセッサー４７６はパワーダウンされ、または電力リセット状態に保持され、ＨＤＭＩ受信器が、ＨＤＭＩ入力信号の存在について、ＣＥＣまたはＶｃｃ２入力をモニターする。１つまたは複数のデータライン上の検出信号エネルギー、ホットプラグ信号の存在、またはＣＯＮＣＬＫおよびＣＯＮＤＡＴＡを介する通信の存在を含む、他の検出方法が可能であり得ることに留意することが重要である。
【００８３】
ＣＥＣまたはＶｃｃ２入力が検出された場合、ＨＤＭＩ受信器４２０は、ＨＤＭＩ信号の処理を開始し、また、Ｉ2ＣＩＮＴを介してＨＤＭＩプロセッサー４７６に割り込み信号を送って、パワーアップをする、または電力リセット状態から抜け出る。信号パススルーモードと呼ばれる第２のスタンバイモードにおいて、通信およびデータ信号通過が、ＨＤＭＩ受信器４２０とＨＤＭＩプロセッサー４７６との間で開始する。割り込み信号は、ＣＥＣまたはＶｃｃ２の存在がＨＤＭＩ受信器４２０の入力部から除去された後に、アクティブスタンバイモードの一部として、パワーダウンをする、またはＨＤＭＩプロセッサー４７６を電力リセット状態に戻すためにも使用され得る。
【００８４】
ＣＥＣまたはＶｃｃ２入力が予め定義された時間期間（たとえば２時間）に存在しない場合、ディープスタンバイモードと呼ばれる第３のスタンバイモードの一部としてリセット／パワーダウンモードにＨＤＭＩ受信器４２０を置くために、信号が別個の通信を介して別個の処理要素（図示せず）に送られ得る。
【００８５】
次に図５を参照すると、本開示による信号処理デバイスにおけるオーディオ／ビデオ接続を制御するための例示的なプロセス５００のフローチャートが示されている。プロセス５００は、主として図３で説明されたネットワークデバイス３００に関連して説明される。プロセス５００のステップは、図２の信号受信デバイス２００に同様に適用することができ、図４Ａおよび図４Ｂで説明されたオーディオ／ビデオ接続回路４００に関して使用されてもよい。加えて、プロセス５００のステップのうちの１つまたは複数は、図１における外部ネットワーク受信デバイス１２０、外部ネットワーク受信デバイス１３０、ＭｏＣＡネットワークデバイス１４０、またはローカルネットワークデバイス１６０に同様に適用可能であり得る。更に、プロセス５００で説明されるステップのいくつかは、１回よりも多く実施されてもよく、または再帰的に実施されてもよいことに留意することが重要である。そのような修正は、プロセス５００の全体的態様に何ら影響することなく行うことが可能である。
【００８６】
ステップ５０５で、必要に応じてデバイスが初期化され、ユーザ入力が決定される。ステップ５０５での初期化は、デバイス内部の要素とデバイス外部の要素との間の任意の通信リンクを設定することを含むことができる。
【００８７】
ステップ５１０で、電源ボタンが押されているかどうかについて決定が行われる。電源ボタンは、フロントパネルインターフェース３１２の一部であってよく、または、信号がＲＦ４ＣＥトランシーバ３２２またはＩＲ受信器３２４を介してデバイスに送信される外部リモートコントロール上のボタンであってもよい。ステップ５１０で、電源ボタンが押されていない場合、プロセス５００はステップ５０５の初期化および決定に戻る。ステップ５１０で電源ボタンが押されていると決定が行われた場合、ステップ５１５で、デバイスの現在の状態に関して決定が行われる。
【００８８】
ステップ５１５でデバイスがオフ状態（たとえば、スタンバイモードのうちの１つ）にあると決定されると、ステップ５２０で、デバイスがオンにされる。デバイスを通してＨＤＭＩ信号を通過させるために特に用いるスタンバイモードを含む１つより多いスタンバイモードをデバイスが有することができることに留意することが重要である。ステップ５１５で、デバイスがフルパワーまたはパワーオンされた状態にあると決定された場合、ステップ５２５で、デバイスは第１のスタンバイモードに置かれる。ステップ５２５での第１のスタンバイモードは、アクティブスタンバイモードと呼ばれることがある。この第１のスタンバイモードは、ＨＤＭＩ受信器３６２、ならびにスタンバイプロセッサー３２０、ＲＦ４ＣＥトランシーバ３２２、およびＩＲ受信器３２４など他の通信要素への電力を維持しながら、デバイス内の要素をパワーオフすることができる。
【００８９】
また、ステップ５２５でスタンバイモードタイマーが開始されてよい。ステップ５２５でのスタンバイモードタイマーは、スタンバイモード間の状態切り替えを制御するのに使用されるいくつかのタイマーのうちの１つであり得る。特に、ステップ５２５でのスタンバイモードタイマーは、第１のスタンバイモード中のアクティビティが無いことに基づいて、第１のスタンバイモードと第２のスタンバイモードとの間の切り替えのタイミングを決定する。好ましい実施形態では、タイマー期間は３時間であるが、他のタイマー期間が使用されてもよい。タイマー機能は、スタンバイプロセッサー３２０またはＨＤＭＩ受信器３６２において維持および制御され得る。
【００９０】
ステップ５３０で、入力信号がデバイスのＨＤＭＩ入力部で検出されるかどうかについて決定が行われる。ステップ５３０で入力信号が検出されない場合、ステップ５３５で、ステップ５２５で開始され、さらにステップ５３０に進んだ第１のスタンバイタイマーに基づいて、指定または所定の時間期間を超過しているかどうかについて決定が行われる。ステップ５３５で、指定された時間期間を超過していない場合、プロセス５００はステップ５２５に戻る。ステップ５３５で時間期間を超過している場合、ステップ５４０で、デバイスが、ディープオフモードと呼ばれる第２のスタンバイモードに置かれる。ステップ５４０でのディープオフモードは、ユーザ対話に必要な最小限の回路のみ（たとえば、スタンバイプロセッサー３２０、ＲＦ４ＣＥトランシーバ３２２、およびＩＲ受信器３２４）を動作させ、ＨＤＭＩ受信器３６２をパワーオフする。ステップ３０４でのディープオフモードはまた、残りのパワーオンされている要素のクロックレートをより低いクロックレートに変更することを含むことができる。次いで、プロセス５００はステップ５０５に戻り、開始を待つ。
【００９１】
ステップ５３０で信号がＨＤＭＩ入力部で検出された場合、ステップ５４５で、デバイスは、ＨＤＭＩパススルーモードと呼ばれる第３のスタンバイモードに置かれる。ステップ５４５でのＨＤＭＩパススルーモードは、ＨＤＭＩコネクター３６４で受信された信号がＨＤＭＩコネクター３６６へと通過することを可能にするために必要とされる、アクティブスタンバイモードで電力供給されている回路構成に対する任意の追加の回路構成に電力供給する。一実施形態では、すでに先に説明された他の回路構成に加えて、ＨＤＭＩ  Ａ／Ｖプロセッサー３６０がパワーオンされる。
【００９２】
ステップ５３０での信号検出は、１つまたは複数のモニター機能を用いて実現され得る。好ましい実施形態では、家電通信（ＣＥＣ）インターフェース信号のようなＨＤＭＩ信号における追加の制御信号が使用され得る。この信号は、ソースデバイス（たとえば、ＣＤまたはＤＶＤプレーヤ）によって生成され、モニターするために必要とされる追加の電力が非常に少ない。この信号は、ＨＤＭＩ受信器３６２の出力部で割り込み信号として提供され、スタンバイプロセッサー３２０またはＨＤＭＩ  Ａ／Ｖプロセッサー３６０に提供される。他の実施形態では、集積回路間（ＩＩＣ）通信などの他の通信がモニターされ得る。通信の存在は、ＨＤＭＩ受信器３６２内のレジスタにおけるレジスタ値またはビットをセットまたはリセットすることができる。レジスタは、スタンバイプロセッサー３２０によって定期的に読み取ることができる。更に他の実施形態では、オーディオおよび／またはビデオ信号の閾値レベルを有する直接電力レベル検出が使用され得る。
【００９３】
次に、ステップ５５０で、入力信号がＨＤＭＩ受信器３６２に依然として存在しているかどうかについて決定が行われる。ステップ５５０で、ＨＤＭＩ入力信号が依然として存在する場合、プロセス５００は、ステップ５４５に戻ってパススルーモードに留まり、再びステップ５５０へ進む。ステップ５５０で、ＨＤＭＩ信号が除去されている、または時間期間を超過しているという決定が行われると、プロセス５００はステップ５２５に戻り、デバイスは、アクティブスタンバイモードに置かれ、再びステップ５３０へ進む。
【００９４】
ステップ５５０での決定は、信号が存在しない時間期間を決定するために使用される第２のスタンバイタイマーも含むことができる。好ましい実施形態では、第２のスタンバイタイマーに対する時間期間は３時間であるが、他の時間期間も可能である。入力信号が存在しない時間からの第２のスタンバイタイマーにおける時間期間が超過していない場合、プロセス５００はステップ５４５に戻る。入力信号が存在しない時間からの第２のスタンバイタイマーにおける時間期間が超過している場合、プロセス５００はステップ５２５に戻る。
【００９５】
ステップ５４０でのディープオフまたはディープスタンバイモードは第３のスタンバイタイマーも含むことができることに留意することが重要である。第３のスタンバイタイマーは、指定された時間期間（たとえば１０分）に待機し、次いで、アクティブスタンバイモードに一時的に戻り、ステップ５３０で説明されたのと同様に、入力信号の存在を決定することができる。信号が存在しない場合、デバイス３００は、ステップ５４０でディープオフまたはディープスタンバイモードに戻る。入力信号が存在する場合、デバイスは、ステップ５４５でパススルーモードに進む。ディープオフまたはディープスタンバイモードでの第３のスタンバイタイマーは、デバイス３００との追加のユーザ対話を最小限にしながら、パススルーモードに一時的に戻ることを可能にする。
【００９６】
プロセス５００は、４つの動作モードのいずれかで動作し得るデバイスを説明している。フルパワーオンモード（full power on mode）では、デバイスにおけるすべての機能が利用可能であり、デバイスにおけるすべてのプロセッサーおよびコントローラが動作可能である。具体的には、スタンバイプロセッサー３２０、メインコントローラ、３１０、およびＨＤＭＩ  Ａ／Ｖプロセッサー３６０、ならびにすべての関連付けられた回路が、パワーオンされ動作する。ディープオフモードでは、デバイスは信号処理について動作しないが、最小限の機能が維持される。具体的には、スタンバイプロセッサー３２０は、ＲＦ４ＣＥトランシーバ３２２およびＩＲ受信器３２２を介して入力を受信する機能を維持することができる。必要に応じて、データメモリおよび／または制御メモリ３３５は電力供給されたままであってよい。また、デバイス上の電源ボタンに関係付けられた任意の機能がパワーオンされ得る。アクティブスタンバイモードにおいて、ディープオフモード機能は、入力ＨＤＭＩ信号の存在を決定する機能によって増強される。具体的には、ＨＤＭＩ受信器３６２がパワーオンされ得る。ＨＤＭＩパススルーモードにおいて、アクティブスタンバイモードは、デバイスを通してＨＤＭＩ信号を通過させる機能によって更に増強される。具体的には、ＨＤＭＩ  Ａ／Ｖプロセッサー３６０がパワーオンされ得る。いくつかの実現において、プロセス５００が、ディープオフモードの使用を除去しステップ５３５および５４０を除去することによって修正され得ることに留意することが重要である。
【００９７】
次に図６を参照すると、本開示によるデバイスにおける例示的な動作状態を示す状態図６００が示されている。状態図６００は、主として図３で説明されたネットワークデバイス３００および図５で説明されたプロセス５００に関連して説明される。状態図６００は、図２の信号受信デバイス２００に同様に適用することができる。加えて、状態図６００は、図１における外部ネットワーク受信デバイス１２０、外部ネットワーク受信デバイス１３０、ＭｏＣＡネットワークデバイス１４０、またはローカルネットワークデバイス１６０に同様に適用可能であり得る。
【００９８】
状態図は、４つの状態６１０から６４０を含み、それらの順にデバイスによる電力消費が低くなっていく。状態図６００は第１の状態６１０を含む。状態６１０は、フルパワーオン状態である。６１０から、デバイスは、状態６３０、すなわち第１のスタンバイ状態またはアクティブスタンバイ状態に移ることができる。状態６１０から状態６３０への移動は、パワーダウンイベント（たとえば、デバイスをパワーオフするためのフロントパネルインターフェース３１２またはリモートコントロールからのユーザ入力）の結果として生じ得る。入力Ａ／Ｖ信号（たとえばＨＤＭＩ信号）の存在を決定した後に、デバイスは、状態６３０から状態６２０、すなわちパススルースタンバイモードに移ることができる。（たとえば、決定の後すぐ、または指定された時間期間を待機して）ＨＤＭＩ信号がもはや存在しないと決定された場合、デバイスは、状態６２０から状態６３０に戻ることができる。更に、たとえば、入力信号が存在しない指定された時間期間を超過することに基づいて、デバイスは、状態６３０から状態６４０、すなわちオフまたはディープスタンバイモードに移ることができる。
【００９９】
デバイスは、パワーオンイベントが決定されたとき、状態６２０、６３０、および６４０のいずれからも状態６１０に戻ることができる。パワーオンイベントは、デバイス上で電力ボタンを押すこと、または、デバイスを制御するために使用されるリモートコントロール上の電力ボタンもしくは他の操作ボタンを押すことを含み得るが、これらに限定されない。
【０１００】
本明細書の実施形態では、デバイスにおけるオーディオ／ビデオ接続を制御するための装置および方法を説明している。実施形態は、フルパワーモード、ならびに電力消費を最小限にするための複数の代替のスタンバイモードを活用するデバイスおよびプロセスを識別する。より具体的には、実施形態では、ＭｏＣＡなどのローカルネットワークインターフェースとＨＤＭＩなどの直接的デバイスインターフェースとの両方を含むデバイスのためのスタンバイ動作中の信号パススルーモード制御を説明している。このモードを使用する典型的なデバイスは、ネットワークデバイス、シンクライアントボックス、または中間セットトップボックスを含むが、これらに限定されない。このタイプのデバイスは、メインコントロールボックス（たとえば、外部ネットワーク受信デバイス、ゲートウェイ、または他のコンテンツソース）とユーザディスプレイデバイスとの間で動作するための特徴のみを含む。実施形態は、デバイスの動作のフルパワーオンモードに加えて、少なくとも２つの別個の動作のスタンバイモードを識別する。デバイスがターンオフされるように指示されたとき、ユーザ入力に基づいて、より低電力のスタンバイモードに入る。加えて、より低電力のスタンバイモードで電力供給されたままの検出回路が、信号がデバイスへのＨＤＭＩまたは他のメディア入力部に存在するかどうかを決定し、モードをスタンバイから、より高電力のパススルースタンバイモードに変更して、デバイスの入力部から出力部へ信号が通過するようにする。入力部でアクティビティが無いと、デバイスは、より低電力のスタンバイモードへ戻る。指定された時間期間の後、より低い電力のスタンバイモードは更に、少なくとも検出回路がパワーオフされる非常に低電力のモードに入ることができる。結果として、本開示は、デバイスにおけるスタンバイ動作中に信号パススルー動作モードを実現しながら、電力消費を低減させるまたは最小限にすることに関係した問題を解決する。
【０１０１】
本開示の教示を組み込む実施形態が本明細書に詳細に示され、説明されているが、当業者は、これらの教示を更に組み込む他の多くの異なる実施形態を容易に考案することができる。（説明に役立つことを意図するが制限しない）デバイス上のメディアコンテンツデータベースを管理するための方法および装置の好ましい実施形態を説明したが、修正および変形が上記の教示に照らして当業者によって行われ得ることに留意されたい。したがって、添付の特許請求の範囲で示されるような本開示の範囲内において本開示の特定の実施形態に変更が行われ得ることを理解されたい。
【図１】
2017515334.tif 000004
【図２】
2017515334.tif 000005
【図３】
2017515334.tif 000006
【図４Ａ】
2017515334.tif 000007
【図４Ｂ】
2017515334.tif 000008
【図５】
2017515334.tif 000009
【図６】
2017515334.tif 000010
【国際調査報告】
2017515334.tif 000011
2017515334.tif 000012
2017515334.tif 000013